(57)【要約】【課題】  被験者が変っても高さ調整を行うことなく連続して測定が可能なバランス測定器を提供すると共に、全体としてコンパクト且つ移動や持ち運びが簡単なバランス測定器を提供する。【解決手段】  垂直な取付面Ｗに固定される固定部材10と、固定部材10に着脱可能に取り付けられる本体3と、を有し、本体3は、固定部材10に着脱可能に取り付けられるベースプレート20と、ベースプレート20に設けられ、取付面Ｗに沿って水平方向に移動可能なスライド部材30と、ベースプレート20に対して垂直方向に突出するようにしてスライド部材30に立設された支持部材40と、被験者が手を伸ばした状態で傾倒姿勢を深めながらスライド部材30を水平移動させるために支持部材40に取着された押し板50であって、異なる身長の被験者にも使用できるように上下方向に所定の長さを有して形成された押し板50と、押し板50の移動距離を測定するスケール60とを備えて構成される。【選択図】  図１
2006230627.tif 000002
【特許請求の範囲】
【請求項１】
被験者が上体をどの程度まで傾倒させたときにその姿勢を保持できなくなるかを測定するためのバランス測定器において、
壁面等の垂直な取付面に固定される固定部材と、前記固定部材に着脱可能に取り付けられる本体と、を有し、
前記本体は、
前記固定部材に着脱可能に取り付けられるベースプレートと、
前記ベースプレートに設けられ、前記取付面に沿って水平方向に移動可能なスライド部材と、
前記ベースプレートに対して垂直方向に突出するようにして前記スライド部材に立設された支持部材と、
前記被験者が手を伸ばした状態で傾倒姿勢を深めながら前記スライド部材を水平移動させるために前記支持部材に取着された押し板であって、異なる身長の被験者にも使用できるように上下方向に所定の長さを有して形成された押し板と、
前記押し板の移動距離を測定するスケールと、
を備えて構成されてなることを特徴とするバランス測定器。
【請求項２】
請求項１に記載のバランス測定器において、
前記固定部材の上部側には、当該固定部材を所定の場所に固定した際に前記取付面との間に上部が開口した隙間を形成させるための屈曲部を備える一方、前記ベースプレートには、前記隙間に挿嵌される挿入部が設けられ、前記挿入部を前記屈曲部と前記取付面との間に形成される前記隙間に挿嵌することにより前記ベースプレートが前記固定部材に固定され、前記挿入部を引き抜けば取り外せるようにされたことを特徴とするバランス測定器。
【請求項３】
請求項１又は２に記載のバランス測定器において、
前記固定部材は、前記取付面に対して着脱可能に形成されてなることを特徴とするバランス測定器。
【請求項４】
請求項１〜３のいずれか１項に記載のバランス測定器において、
前記ベースプレートの下部側には、前記固定部材に密着して当該固定部材との固定を補強する補強部材をさらに備えて構成されてなることを特徴とするバランス測定器。
【請求項５】
請求項１〜４のいずれか１項に記載のバランス測定器において、
前記支持部材は、前記押し板の取り付け位置を前記取付面に対して垂直方向に調整可能とされてなることを特徴とするバランス測定器。
【請求項６】
請求項１〜５のいずれか１項に記載のバランス測定器において、
前記スケールは、前記スライド部材がどちらの方向から移動してもその移動距離の測定が可能に形成されてなることを特徴とするバランス測定器。
【発明の詳細な説明】
【技術分野】
【０００１】
本発明は、バランス測定器に関し、さらに詳しくは、被験者が上体をどの程度まで前傾させたときにその姿勢を保持できなくなるかを測定するためのバランス測定器に関する。
【背景技術】
【０００２】
近年の高齢化社会の進展に伴い、介護施設やリハビリテーションセンターの役割がますます重要となってきている。高齢者の運動機能の低下は、自らの運動を自重させ、ますます運動機能の低下を促進してしまうという悪循環を生じさせる。そして、そのような運動機能の低下によって日常生活に支障をきたすようになると介護やリハビリといった対応が余儀なくされる。
【０００３】
高齢者の運動機能の維持・回復を図るために各施設においては被験者ごとに種々のプログラムを組み、それが実行されている。
しかし、これまでは、被験者が与えられたプログラムに従ってリハビリを行った結果、どの程度の機能回復が図られたのかという治療効果は医者やリハビリの指導者の感覚的な判断が主であり、具体的な数値等で把握することができないという問題があった。
【０００４】
そのため、例えば、リハビリの効果等を知るために、前傾姿勢をどこまで保持することができるかを数値的に測定することにより足腰の筋力の回復状況を知ることができるバランス測定器が提案されている（例えば、特許文献１参照。）が、人の立位状態を保持可能な限度に係るバランスを測定した測定値は人の健康状態を示す指標としても有益である。
【０００５】
特許文献１に開示されたバランス測定器は、概略として、ベース（２）と、ベース（２）に立設された垂直フレーム（３）と、垂直フレーム（３）に関連して設けられた水平部材（４）と、水平部材（４）に関連して、被測定者の手により移動容易に水平部材（４）に設けられた水平移動部材（５）とにより成り、水平部材（４）と床（３８）面間の高さを調節自在に構成し、定位置に立つ被測定者が、水平移動部材（５）に沿って水平挙上した手で立位姿勢のバランスを崩す直前まで水平移動部材（５）を前方に移動させ、その移動距離からバランスが測定されることを特徴としている。尚、ここに示した符号は特許文献１に記載されたものをそのまま引用したものであり、以下に示す本願発明に関する「発明を実施するための最良の形態」に記載のものとは異なるものである。
【０００６】
【特許文献１】特開２００３−２９９６３５号公報
【発明の開示】
【発明が解決しようとする課題】
【０００７】
しかしながら、引用文献１に示されたバランス測定器にあっては、被測定者が水平移動部材（５）を移動させるための押し部材（１１）の高さ幅が狭く、特に図４〜図１０に示された押し部材（１１）は丸棒となっている。そのため、被測定者が測定をするために両腕を体の前方に水平に伸ばしたときの高さ位置に押し部材（１１）が正しく位置するようにするには垂直フレーム（３）を伸縮させることによって高さ調整を行う必要がある。従って、被測定者が変るたびごとに被測定者の身長にあわせて垂直フレーム（３）の高さ調整を行わなければならず、極めて煩雑かつ面倒である。
【０００８】
また、引用文献１に示されたバランス測定器は、自立式で、床面に設置されるベース（２）と、前述した垂直フレーム（３）を有して構成されている。従って、機器全体も大きくなり持ち運びも大変である。特に、図４に示された第３実施例及び図９に示された第４実施例にあっては板状ベース（２６）や着脱式板状ベース３０を備えて構成されており、バランス測定器全体の重量がさらに増加することが容易に予測される。従って、移動や持ち運びが大変であるという問題があった。
【０００９】
そこで、本発明は、上述のような従来の問題点に着目してなされたもので、その目的は、被験者が変っても高さ調整を行うことなく連続して測定が可能なバランス測定器を提供することを目的とする。
【００１０】
また、本発明は、全体としてコンパクト且つ移動や持ち運びが簡単なバランス測定器を提供することを目的とする。
【課題を解決するための手段】
【００１１】
上記課題を解決するために請求項１に記載の本発明は、被験者が上体をどの程度まで傾倒させたときにその姿勢を保持できなくなるかを測定するためのバランス測定器において、壁面等の垂直な取付面に固定される固定部材と、固定部材に着脱可能に取り付けられる本体と、を有し、本体は、固定部材に着脱可能に取り付けられるベースプレートと、ベースプレートに設けられ、取付面に沿って水平方向に移動可能なスライド部材と、ベースプレートに対して垂直方向に突出するようにしてスライド部材に立設された支持部材と、被験者が手を伸ばした状態で傾倒姿勢を深めながらスライド部材を水平移動させるために支持部材に取着された押し板であって、異なる身長の被験者にも使用できるように上下方向に所定の長さを有して形成された押し板と、押し板の移動距離を測定するスケールとを備えて構成されていることを特徴とする。
【００１２】
本発明に係るバランス測定器は、ベースプレートと、スライド部材と、支持部材と、押し板と、スケールとを有して形成される本体を、壁面やつい立等の取付面に固定した固定部材に着脱可能に構成したのでスタンド等が不要で全体としてコンパクトであり、簡単に移動や持ち運びが可能となる。また、被験者が手で押し動かす押し板が上下方向に所定の長さを有して形成されているので被験者の身長に合わせた高さ調整が不要である。
【００１３】
上記課題を解決するために請求項２に記載の本発明は、請求項１に記載のバランス測定器において、固定部材の上部側には、固定部材を所定の場所に固定した際に取付面との間に上部が開口した隙間を形成させるための屈曲部を備える一方、ベースプレートには、隙間に挿嵌される挿入部が設けられ、挿入部を屈曲部と取付面との間に形成される隙間に挿嵌することによりベースプレートが固定部材に固定され、挿入部を引き抜けば取り外せるようにされたことを特徴とする。
【００１４】
ベースプレートに設けられた挿入部を固定部材の上部に設けられた屈曲部により形成された壁面等の取付面との隙間に挿嵌することによりベースプレートが固定される。挿入部は、ベースプレートと、スライド部材と、支持部材と、押し板と、スケールとを有して形成される測定器の本体の自重により隙間にしっかりと挿嵌されるので測定器の本体が落下することはない。尚、安全のために挿入部が隙間から抜けてしまうことがないように抜け止め機構を設けてもよい。
【００１５】
上記課題を解決するために請求項３に記載の本発明は、請求項１又は２に記載のバランス測定器において、固定部材は、取付面に対して着脱可能に形成されていることを特徴とする。
【００１６】
固定部材が取付面であるつい立やパーテーション、あるいは移動可能な白板又は黒板等に着脱可能とされているので屋外のように壁面のない場所でもバランス測定器を使用することができる。
【００１７】
上記課題を解決するために請求項４に記載の本発明は、請求項１〜３のいずれか１項に記載のバランス測定器において、ベースプレートの下部側には、固定部材に密着して固定部材との固定を補強する補強部材をさらに備えて構成されていることを特徴とする。
【００１８】
ベースプレートは、挿入部が固定部材の上部側に挿嵌されて固定されているが、ベースプレートの下部側も固定部材に密着させることによりベースプレートを固定部材に対してガタつきなくしっかりと固定させる。
【００１９】
上記課題を解決するために請求項５に記載の本発明は、請求項１〜４のいずれか１項に記載のバランス測定器において、支持部材は、押し板の取り付け位置を取付面に対して垂直方向に調整可能とされていることを特徴とする。
【００２０】
本発明に係るバランス測定器は、取付面に取り付けられた状態で使用に供される。すなわち、被験者が取付面に正対した状態から正面を９０°回転させて押し板と正対した状態、すなわち、被験者の正面が取付面と平行となるようにして立ち、そして、両腕を前方に水平に伸ばした状態で上体を前傾させながら押し板を押すことにより測定が行なわれる。従って、被験者が測定位置に立ち、腕を前方に伸ばし、被験者の指先が正しく押し板に触れる状態すなわち測定可能状態において、被験者の肩が壁面に触れて測定を阻害しないように押し板５０の位置調整を行うことができるようになっている。
【００２１】
上記課題を解決するために請求項６に記載の本発明は、請求項１〜５のいずれか１項に記載のバランス測定器において、スケールは、スライド部材がどちらの方向から移動してもその移動距離の測定が可能に形成されていることを特徴とする。
【００２２】
上述のように、被験者は押し板と正対するように立って前屈しながら両手で押し板を押して測定する他、片方の手だけで押し板を押して測定する場合もある。この場合、被験者の利き腕が左右のいずれであってもその利き腕で押し板を押すことができるように、スケールは、被験者がバランス測定器に対して右又は左のいずれの側にして立った場合でも測定ができるようにスライド部材が左右どちらの方向から移動してもその移動距離を測定できるように形成されている。また、スケールがこのように形成されているので被験者が取付面と正対した状態で手を伸ばし、背骨の上部を真横に曲げるようにして片手で押し板を押して測定することもできる。
【発明の効果】
【００２３】
本発明に係るバランス測定器によれば、壁面等の垂直な取付面に固定される固定部材と、固定部材に着脱可能に取り付けられる本体とを有し、本体は、固定部材に着脱可能に取り付けられるベースプレートと、ベースプレートに設けられ、取付面に沿って水平方向に移動可能なスライド部材と、ベースプレートに対して垂直方向に突出するようにしてスライド部材に立設された支持部材と、被験者が手を伸ばした状態で傾倒姿勢を深めながらスライド部材を水平移動させるために支持部材に取着された押し板であって、異なる身長の被験者にも使用できるように上下方向に所定の長さを有して形成された押し板と、押し板の移動距離を測定するスケールとを備えて構成したので、全体としてコンパクトとなり、且つ移動の際は本体のみを持ち運べば足りるので簡単に移動や持ち運びができるという効果がある。
【００２４】
また、被験者が変っても高さ調整を行うことなく連続して測定することができるという効果がある。
さらに、本発明に係るバランス測定器によれば、スライド部材がどちらの方向から移動してもその移動距離の測定ができるようにスケールが形成されているので、被験者が壁面を右又は左のいずれの側にして立った場合でもバランスの測定を行うことができるという効果がある。その結果、被験者が片方の利き腕だけで測定したり、身体を横に曲げながら測定したりすることが可能となる。
【発明を実施するための最良の形態】
【００２５】
本発明に係るバランス測定器について図面を参照しながら以下詳細に説明する。
初めに、図１は、本発明に係るバランス測定器の一実施形態における正面図、図２はその平面図、図３は壁面等の取付面に取り付けた状態を示す側面図である。
図示されたバランス測定器１は、概略として、壁面等の垂直な取付面Ｗに固定される固定部材である固定板１０と、固定板１０に着脱可能に取り付けられる本体３とを有しており、本体３は、固定板１０に着脱可能に取り付けられるベースプレート２０と、取付面Ｗに沿って水平方向に移動可能にベースプレート２０に設けられたスライド部材３０と、取付面Ｗに対して垂直方向に突出するようにしてスライド部材３０に立設された支持部材４０と、被験者が手を伸ばした状態で傾倒姿勢を深めながらスライド部材３０を水平移動させるために支持部材４０に取着された押し板５０と、押し板５０の移動距離を測定するスケール６０とを備えて構成されている。
【００２６】
固定板１０は、図４に示すように、壁面等の取付面Ｗに密着して固定される基部１１と、固定板１０の上部側には形成された屈曲部１５と、屈曲部１５の上部側で取付面Ｗとは接触することなく隙間部１３ａを形成する掛止部１３とを有して形成されている。基部１１には、固定板１０を取付面Ｗに固定するためのネジ１０ｂを受け入れるネジ止め用のネジ穴１０ａが穿設されている。尚、固定板１０の取付面Ｗへの固定はこれに限るものではなく取付面Ｗの材質や構造等に応じて接着剤による接着、または接着とネジ止め等の適宜の方法やその組合せを採用することができる。
【００２７】
固定板１０の屈曲部１５は、固定板１０を取付面Ｗに固定した際に屈曲部１５の上部側の掛止部１３と取付面Ｗとの間に上部が開口した幅ｈを有する隙間部１３ａを形成させる（図４参照）。そして、後述するようなベースプレート２０に設けられた挿入部２１ａを隙間部１３ａに挿嵌することによりベースプレート２０を固定板１０の掛止部１３に掛止固定する。そして、ベースプレート２０を上方に引き上げれば挿入部２１ａが隙間部１３ａから引き抜かれベースプレート２０を取り外せるようになっている。このように、固定板１０はベースプレート２０以下の部材を取付面Ｗに保持固定するものであるので例えば、金属製のような頑丈な素材で形成することが好ましい。そして、固定板１０を測定を行いたい場所、例えば、プール、球技室、体操室等一定の場所に予め固定しておけば本体３を適宜固定板１０に取り付けることですぐに使用することが可能となる。また、本体３を固定板１０から取り外し可能としたので歩行や運動する人が接触して怪我をする等の危険を避けることができる。
【００２８】
固定板１０の他の実施形態を図５（ａ）に示す。図示された固定板１０は、基部１１の上部側に略「Γ（ガンマ）」字状に折り曲げられた引掛部１７を有して形成され、そして、引掛部１７が形成された面とは反対側の面には掛止部１３が取り付けられている。引掛部１７は、隙間部１７ａを有しており、この隙間部１７ａを利用して、例えば、つい立やパーテーション、あるいは移動可能な白板又は黒板等に引っ掛けることができるようになっている。そして、引掛部１７の表面側には固定ネジ１８が設けられており、固定ネジ１８を締め付けることによって固定板１０を、図示されているように、移動可能な白板Ｐに固定するようになっている。また、図５（ｂ）に示すように、固定ネジ１８の先端側には当接板１８ａが配設されており、固定される白板Ｐを面でしっかりと挟持するようになっている。これにより、壁面のない場所や屋外であっても白板Ｐを用いてバランス測定器１使用することが可能となる。尚、掛止部１３には、図４に示した固定板１０と同様に、屈曲部１５と隙間部１３ａが形成されており、同様の機能が発揮されるようになっている。
【００２９】
一方、ベースプレート２０は、横長の板状部材で、その表面にはスライド部材３０を水平移動させるためのスライドレール２３が配設されていると共に、スライド部材３０の移動距離を計測するためのスケール６０が設けられている。
スライドレール２３は、断面形状が略「コ」の字状をした長尺の部材で、ベースプレート２０の表面のほぼ中央付近を長手方向に沿って配設され、ネジ部材２３ｅにてベースプレート２０に締着されている。図７に示すように、スライドレール２３の対向する内側面２３ａ、２３ｂには、それぞれ後述するスライド部材３０が備えるホイール部材３５の外周面の形状に即した形状を有する凹部２３ｃ、２３ｄが形成されている。
【００３０】
また、スライドレール２３の上部側の天面と背面に密接するようにして略「Ｌ」字状の調整板２５が取り付けられている。そして、スライド部材３０に設けられたアジャスタネジ３３ａを締めたり緩めたりすることによってスライドレール２３上部を撓ませ、ホイール部材３５に接する内側面２３ａの押圧力を変化させることができるようになっている。これにより、被験者が押し板５０を押圧した際のスライド部材３０の動きの軽重を調整することが可能となる。
【００３１】
ベースプレート２０の裏面には、図６に示すように、取付板２１が取着されている。取付板２１はネジ穴２１ｅが穿設された取付部２１ｂによりベースプレート２０裏面の上部に配置され、ネジ部材２１ｆによってしっかりと締着されている。取付板２１は、上述の固定板１０と同様に、屈曲部２１ｃが形成されると共に、屈曲部２１ｃに連続して挿入部２１ａが設けられている。ベースプレート２０の裏面と挿入部２１ａの内表面との間には幅Ｈの隙間部２１ｄが形成されている。そして、この挿入部２１ａを固定板１０の掛止部１３と取付面Ｗとの間に形成される隙間部１３ａに挿嵌することにより固定板１０にベースプレート２０が固定される。尚、隙間部１３ａの幅ｈと隙間部２１ｄの幅Ｈとは、挿入部２１ａを隙間部１３ａに挿嵌した際、隙間なく挿嵌されるように形成されている。尚、安全のために挿入部２１ａが隙間部１３ａから抜けてしまうことがないように、例えば、ベースプレート２０の横から固定板１０に架け渡される図示しない閂（かんぬき）状の抜け止め機構を設けてもよい。
【００３２】
一方、ベースプレート２０の下部側には、図３に示すように、さらに、固定板１０への固定を確実にするために固定板１０に密着して補強する補強部材２９を備えている。図示された補強部材２９はマグネットにより形成され、ベースプレート２０の裏面の下部側に配設されている。これにより、ベースプレート２０の下部側も固定板１０に密着されることになるのでベースプレート２０を固定板１０に対してガタつきなくしっかりと固定させることか可能となる。尚、補強部材２９は単なるマグネットの他、電流を流すことにより磁力を発生する電磁石を用い、スイッチのＯＮ／ＯＦＦにより動作させるものであってもよく、あるいは、吸盤等によるものであってもよい。
【００３３】
スライド部材３０は、図７に示すように、スライド本体３１にスライドレール２３に移動可能に内装されるホイール部材３５を有して形成されている。ホイール部材３５は、スライド本体３１から突出するようにして取着された軸３９に図示しないボールベアリングを介して回転可能に取り付けられている。また、スライド本体３１の両側部にはスケール６０の目盛りを読むためのカーソル３７が配設されている。また、スライド本体３１の図における上部側にはアジャスタネジ３３ａを取り付けるためのアジャスタネジ取付板３３がネジ部材３３ｂによって取り付けられている。このようにして構成されたスライド部材３０はスライドレール２３を水平方向に左右いずれの方向からでも自由に移動可能とされている。
【００３４】
支持部材４０は、図８に示すように、ベース部４７から立ち上がるようにして略円柱状の立設部４１が配設されており、立設部４１の頂部にはさらに円柱を半割状にしたような形状の押し板取付部４３が設けられている。そして、押し板取付部４３には長手方向に沿って開口部４５が形成されており、この開口部４５に沿って止めネジ４０ａとナット４０ｂにより押し板５０を適宜の位置で固定することができるようになっている。これにより、押し板５０取り付け位置を取付面Ｗに対して垂直方向に調整可能となり、従って、被験者が測定位置に立ち、両腕を前方に伸ばした状態で被験者の指先が正しく押し板に触れるように押し板５０の位置の調整を行うことができる。
また、ベース部４７にはその四隅にネジ穴４７ａが穿設されており、これにより、図７に示すように、ネジ部材４７ｂにより支持部材４０をスライド部材３０に取り付けるようになっている。
【００３５】
押し板５０は、被験者が手を伸ばした状態で前傾姿勢や横傾姿勢を深めながらスライド部材３０を水平移動させるための部材であり、図３に示すように、縦長に形成された板状部材である。そして、押し板５０の略中央には止めネジ４０ａが挿通される穴５０ａ（図８参照）が穿設されている。
このように、バランス測定器１の使用状態において、上下方向に縦長になるようにしたのは、被験者異の身長が異なる場合の高さ位置の調整を不要にするためである。尚、押し板の高さ幅は、各被験者の身長の分布に応じて適宜決定すればよい。例えば、日本人の成年男女の身長を概略１４５〜１８５ｃｍの範囲にあるものと考え、その身長差からみて押し板５０の長さは５０〜９０ｃｍ程度あればよいと考えられる。また、その幅は約５〜１５ｃｍが好ましい。
【００３６】
スケール６０、上述したように、ベースプレート２０の表面上に設けられているが、図１に示すように、スライド部材３０が左右のどちらの方向から移動したとしてもその移動距離を容易に測定できるように左右の両端側からそれぞれ開始される目盛りが設けられている。すなわち、図１に示されたスケール６０のうち、上部側の目盛りは押し板５０を図上左から右へ移動させたときにその移動距離を容易に読み出すことができるようにされ、一方、下部側の目盛りは押し板５０を図上右から左へ移動させたときにその移動距離を容易に読み出すことができるようにされている。これにより、被験者がバランス測定器１の取り付けられた取付面Ｗを右又は左のいずれの側にして立った場合でもバランスの測定ができるようになっている。そのため、例えば、リハビリ施設の室内に設置するような場合でも壁の角部の近くに設置することもできるので取り付ける場所を制限されることはない。また、被験者が片方の利き腕だけで測定したり、身体を横に曲げながら測定したりすることもできる。
【００３７】
次に、これまで説明してきたバランス測定器１の動作について使用方法と共に説明する。
初めに、バランス測定器１を取り付けたい取付面Ｗの高さ位置にネジ１０ｂにて固定板１０を固定する。一方、図５に示す固定板１０の場合には移動可能な白板Ｐに引っ掛け、固定ネジ１８を締めて固定する。そして、本体３のベースプレート２０の挿入部２１ａを固定板１０の掛止部１３と取付面Ｗとの間に形成される隙間部１３ａに挿嵌して固定する。このとき、ベースプレート２０の下部に設けられた補強部材２９によってベースプレート２０の下部側も固定板１０に固定される。尚、必要があれば図示しない抜け止め機構を機能させてもよい。
【００３８】
そして、押し板５０の取付面Ｗからの位置を調整し、止めネジ４０ａにより押し板５０を押し板取付部４３の所定の位置に固定する。また、アジャスタネジ３３ａを調整してスライド部材３０の移動状態を調整する。あまり軽いと押し板５０を押圧した時の勢いでスライド部材３０が正しい位置で停止しなくなるおそれがある。一方、あまり重いと被験者に負担をかけるので適正に作動するように調整する。
【００３９】
バランス測定器１の設置及び調整ができたら、実際の測定を行う。実際の測定は、図９（ａ）に示すように、まず、カーソル３７をスケール６０の目盛り０の位置に合わせる。そして、被験者Ａは、取付面Ｗに対して平行に立ち、両腕を正面に水平に伸ばし、指先が押し板５０に触れる程度の位置になるように立ち位置を調整する。
【００４０】
被験者Ａの立ち位置が決まったら、前傾姿勢を取り、その体勢をさらに深めつつ押し板５０を押す（図９（ｂ）参照）。被験者Ａの前傾に伴って押し板５０はスライドレール２３上を水平移動する。被験者Ａが体勢を保持できなくなると思う位置に達したら押し板５０から手を離し、押し板５０の移動距離をカーソル３７によりスケール６０から読み取る。また、他の測定方法として図９（ｃ）（ｄ）に示すように、被験者Ａは身体を横に倒す方向での測定を行うこともできる。
このように、押し板５０の移動距離によってその被験者Ａの下半身の筋力の状態を客観的な数値により把握することができる。測定を繰り返し行ってそのデータを記録しておけば、これまで被験者が行ってきた運動やリハビリの効果を具体的な数値等で把握することができる。
測定が終ったら、上記と逆の手順によって本体３を固定板１０から取り外し、所定の収納場所に移動する。このように、バランス測定器１は本体３のみを移動すれば足りるので使用・収納も極めて簡便に行うことができる。
【図面の簡単な説明】
【００４１】
【図１】本発明に係るバランス測定器の一実施形態における正面図である。
【図２】図１のバランス測定器の平面図である。
【図３】図１のバランス測定器を壁面等の取付面に取り付けた状態を示す側面図である。
【図４】固定板の一部を示す斜視図である。
【図５】（ａ）は固定板の他の実施形態を示す斜視図、（ｂ）はその使用状態の断面図である。
【図６】ベースプレートの裏面の一部を示す斜視図である。
【図７】ベースプレートとスライド部材を示す側面図である。
【図８】支持部材の斜視図である。
【図９】図１のバランス測定器の使用状態を示す図であり（ａ）は測定直前の状態、（ｂ）は測定中の状態を示すと共に、（ｃ）は横向きでの測定直前の状態、（ｄ）は測定中の状態を示している。
【符号の説明】
【００４２】
Ｗ      取付面
Ａ      被験者
Ｐ      白板
１      バランス測定器
３      本体
１０      固定板
１１      基部
１３      掛止部
１３ａ      隙間部
１７      引掛部
１７ａ      隙間部
１８      固定ネジ
１８ａ      当接板
１５      屈曲部
２０      ベースプレート
２１      取付板
２１ａ      挿入部
２１ｂ      取付部
２１ｃ      屈曲部
２１ｄ      隙間部
２１ｅ      ネジ穴
２１ｆ      ネジ部材
２３      スライドレール
２３ａ      内側面
２３ｂ      内側面
２３ｃ      凹部
２３ｄ      凹部
２３ｅ      ネジ部材
２５      調整板
２９      補強部材
３０      スライド部材
３１      スライド本体
３３      アジャスタネジ取付板
３３ａ      アジャスタネジ
３３ｂ      ネジ部材
３５      ホイール部材
３７      カーソル
３９      軸
４０      支持部材
４０ａ      止めネジ
４１      立設部
４３      押し板取付部
４５      開口部
４７      ベース部
４７ａ      ネジ穴
４７ｂ      ネジ部材
５０      押し板
５０ａ      穴
６０      スケール
【図１】
2006230627.tif 000003
【図２】
2006230627.tif 000004
【図３】
2006230627.tif 000005
【図４】
2006230627.tif 000006
【図５】
2006230627.tif 000007
【図６】
2006230627.tif 000008
【図７】
2006230627.tif 000009
【図８】
2006230627.tif 000010
【図９】
2006230627.tif 000011